(57)【特許請求の範囲】
【請求項１】
合成樹脂製素材から成る遮光部材が，合成樹脂製素材からなるフレキシブルコンテナ本体の胴部の上端周縁部に取り付けられた口部から一体的に，かつ，前記口部が閉じられた状態でこの閉じ部の上方から胴部側に折り返されて下垂させることができるように設けられており，前記遮光部材が下垂された状態で，少なくとも前記フレキシブルコンテナ本体における胴部の上端部から底部付近に至る部分を少なくとも吊り部材の前記胴部に対する取付け部と共に被覆し得るように構成されたフレキシブルコンテナ。
【請求項２】
遮光部材が，取り付け側から開放周縁部側に至るに従い次第に拡開するように形成された請求項１に記載のフレキシブルコンテナ。
【請求項３】
遮光部材が，遮光部材の開放周縁部側から取り付け側に向かう切れ目により形成された複数枚の遮光片から成る請求項１ないし２のいずれかに記載のフレキシブルコンテナ。
【請求項４】
遮光片が切れ目の縁部で重なるように形成された請求項３記載のフレキシブルコンテナ。
【請求項５】
隣接する遮光片同士が連結具により分離可能に連結されるように構成された請求項３または４記載のフレキシブルコンテナ。
【発明の詳細な説明】
【０００１】
【発明の属する技術分野】
本発明は、樹脂ペレットなどを収納して屋外に仮置きし、若しくは屋外に長期保管するのに用い、または土砂、砕石、粉砕されたガラスなどを収納して海岸、河川の護岸などに用いるフレキシブルコンテナに関する。
【０００２】
【従来の技術】
従来、この種のフレキシブルコンテナとして、ポリプロピレン、ポリエチレンなどのポリオレフィン系の合成樹脂を主原料とする延伸テープヤーンにより織成した織布、若しくはこの織布の少なくとも片面をポリオレフィン系の合成樹脂製フィルムによりラミネートした基布を用いてフレキシブルコンテナ本体をミシン縫製し、前記織布などからなるベルト状などの吊り部材をフレキシブルコンテナ本体の胴部に縫着などにより取り付けた構成が知られている。
【０００３】
【発明が解決しようとする課題】
しかしながら、前記のような従来例のフレキシブルコンテナの構成では、内容物を充填した状態で屋外に仮置きし、若しくは長期保管して直射日光に当たると、紫外線により織布、若しくは基布の強度が劣化する。また、ポリオレフィン系樹脂はポリエステル、ナイロンなどの他の樹脂に比較して耐熱性に劣るため、直射日光が当たると、織布、基布の強度が劣化する。
【０００４】
その結果、フレキシブルコンテナを移動させる際に破袋したり、吊り部材が切断したり、吊り部材と胴部との取り付け部が破断するおそれがあり、移動作業能率に劣るばかりでなく、移動作業に危険を伴うおそれがあった。また、内容物を充填したフレキシブルコンテナを屋外に段積み状態で長期保管するなどにより、前記のようにフレキシブルコンテナが劣化すると、特に、下位のフレキシブルコンテナが荷重を受けて破袋し、荷崩れするおそれがあり、危険を伴うおそれがあるばかりでなく、後始末に手数を要する。
【０００５】
前記のような問題を解消するため、並列状態で保管しているフレキシブルコンテナに遮光性のシートを被せることが試みられているが、多くの手間と時間を要する。特に、風が強い場合にはフレキシブルコンテナにシートを被せる作業に困難を伴い、しかも、シートが風で飛ばされないように固定するのに困難を伴う。このようなことから、遮光性シートを被せる煩わしい作業を要することなく、耐久性を向上させることができるフレキシブルコンテナが要望されている。
【０００６】
本発明の目的は、前記のような従来の問題を解決しようとするものであって、自身に遮光機能を備えることにより直射日光の照射による強度劣化を低減することができ、したがって、耐久性を向上させることができ、また、遮光性シートを被せるなどの煩わしい作業が不要となって使用上の利便性を向上させることができるようにしたフレキシブルコンテナを提供するにある。
【０００７】
前記課題を解決するために本発明のフレキシブルコンテナは，合成樹脂製素材から成る遮光部材が，合成樹脂製素材からなるフレキシブルコンテナ本体の胴部の上端周縁部に取り付けられた口部から一体的に，かつ，前記口部が閉じられた状態でこの閉じ部の上方から胴部側に折り返されて下垂させることができるように設けられており，前記遮光部材が下垂された状態で，少なくとも前記フレキシブルコンテナ本体における胴部の上端部から底部付近に至る部分を少なくとも吊り部材の前記胴部に対する取付け部と共に被覆し得るように構成されたものである。
【０００８】
前記遮光部材は，取り付け側から開放周縁部側に至るに従い，次第に拡開するように形成するのが好ましく，また，前記遮光部材は，その開放周縁部側から取り付け側に向かって形成された適宜長さの切れ目により形成された複数枚の遮光片により構成するのが好ましく，この場合，遮光片が切れ目の縁部で重なるように形成し，更には隣接する遮光片同士を連結具により分離可能に連結するように構成するのが好ましい。
【００１０】
前記のように構成された本発明によれば，遮光部材により少なくともフレキシブルコンテナ本体における胴部の上端部から底部付近に至る部分を少なくとも吊り部材の前記胴部に対する取り付け部と共に被覆し，直射日光から保護することができる。このように自身に遮光機能を備えることにより，直射日光の照射による強度劣化を低減することができる。また，本発明において，遮光部材を，取り付け側から開放周縁部側に至るに従い，即ち，基部側から裾部側の開放周縁部に至るに従い次第に拡開するように形成すれば，遮光部材を容易に下垂させてフレキシブルコンテナ本体を被覆することができる。更に，遮光部材をその開放周縁部側から取り付け側に向かって，即ち，軸芯方向に沿って，形成された適宜長さの切れ目により形成された複数枚の遮光片により構成すれば，より容易に遮光部材を下垂させてフレキシブルコンテナ本体を被覆することができるし，その場合，隣接する遮光片同士を連結具により分離可能に連結するように構成すれば，遮光部材の開放周縁部側，即ち，裾部が風で捲れるのを防止することができる。
【００１１】
【発明の実施の形態】
以下、本発明の実施形態について図面を参照しながら説明する。
まず、本発明の第１の実施形態について説明する。図１は本発明の第１の実施形態に係るフレキシブルコンテナを示し、内容物充填前の状態の概略斜視図、図２は同フレキシブルコンテナを示し、内容物充填後の状態の概略斜視図、図３は同フレキシブルコンテナに用いる織布を示す一部拡大平面図、図４は図３のＩＶ−ＩＶ線に沿う断面図、図５は同フレキシブルコンテナに用いる基布を示す一部破断拡大平面図、図６は図５のＶＩ−ＶＩ線に沿う断面図である。
【００１２】
図１および図２に示すように、フレキシブルコンテナ１はフレキシブルコンテナ本体２と吊り部材３と遮光部材４とから構成されている。フレキシブルコンテナ本体２は円筒状の胴部５の下端周縁部に下蓋６が縫着等の手段により取り付けられ、胴部５の上端周縁部に投入口と排出口を兼用する口部７の基部が縫着等の手段により取り付けられている。口部７の外面には閉じ紐８の中間部が縫着等の手段により取り付けられている。吊り部材３は一対用いられ、中央部でループ状に形成されて両側部が胴部５の外面、必要に応じて下蓋６の外面に延長するように重ねられ、上部外面に吊り部材３上から補助部材９が重ねられてこれら吊り部材３と補助部材９との重ね部および吊り部材３が胴部５に対して縫着等の手段により取り付けられている（一方の吊り部材３については図示省略している。）。
【００１３】
遮光部材４は筒状で截頭円錐状に形成され、小径側の端部周縁部が前記のように胴部２の上端周縁部と口部７の基部とが縫着される際にそれらの間に挟まれた状態で共に縫着されるなどにより一体的に備えられている。この遮光部材４は図１に示すように、吊り部材３による吊り下げ時に上方へ起こすことができ、また、図２に示すように、スカート状に下垂させることができ、下垂させた状態で胴部５の上端部から底部付近に至る部分を、吊り部材３およびこの吊り部材３の胴部５に対する取り付け強度が最も要求される縫着等による取り付け部と共に被覆し得るように設定されている。
【００１４】
胴部５と下蓋６は、その一例として、図３、図４に示すような織布１０により構成される。この織布１０は、合成樹脂、例えば、ポリエチレン、ポリプロピレン等のポリオレフィン系の延伸テープヤーン（若しくは扁平モノフィラメントヤーン）を経糸１０および緯糸１１として平織に織成されている。口部７および遮光部材４は、その一例として、図５、図６に示すような基布１３により構成される。この基布１３は、合成樹脂、例えば、ポリエチレン、ポリプロピレン等のポリオレフィン系の延伸テープヤーン等を経糸１１および緯糸１２として平織に織成された織布１０の表面と裏面のいずれか一方、若しくは両方が合成樹脂、例えば、ポリオレフィン系のフィルム１４で熱融着等によりラミネートされて不透水性が付与されている。
【００１５】
吊り部材３は、その一例として、各種合成繊維、若しくはポリオレフィン系の延伸テープヤーン、若しくは扁平モノフィラメントヤーンを経糸、マルチフィラメントヤーンを緯糸として平袋組織、綾袋組織等により袋織（筒織）されてベルト状に細長く形成されている。なお、吊り部材３は、前記構成以外の筒状基材を用いることもでき、その他の任意の基材を用いることができる。
【００１６】
遮光部材４に用いる基布１３は、太陽光の紫外線、或いは熱線（主に赤外線）の照射によりフレキシブルコンテナ本体２の胴部５が強度劣化するのを低減することができるように黒色、青色、緑色、灰色など、明度、彩度、或いはそのいずれもがフレキシブル本体２の織布１０、基布１３よりも濃い色を用いており、例えば、織布１０が前記の濃い色の顔料で着色したポリエチレンフィルム１４でラミネートされている。また、フレキシブルコンテナ本体２の上蓋を兼用する口部７も太陽光の紫外線、熱線の照射による強度劣化を低減することができるように、濃い色を用いるのが好ましく、例えば、前記と同様に、織布１０を濃い色の顔料で着色したポリエチレンフィルム１４でラミネートした基布１３により構成する。
【００１７】
本実施形態における具体例について説明すると、フレキシブルコンテナ本体２の胴部５と下蓋６には、茶色の顔料で着色しているポリプロピレン製延伸テープヤーンを経糸１１および緯糸１２として織成した織布１０を用いる。口部７には、緑色の顔料で着色しているポリエチレン製延伸テープヤーンを経糸１１および緯糸１２として織成１０を織布し、この織布１０の両面に緑色の顔料で着色しているポリエチレンフィルム１４をラミネートした基布１３を用いる。遮光部材４には、緑色の顔料で着色しているポリエチレン製延伸テープヤーンを経糸１１および緯糸１２として織成１０を織布し、この織布１０の両面に前記延伸テープヤーンよりも明度の低い濃緑色の顔料で着色しているポリエチレンフィルム１４をラミネートした基布１３を用いる。
【００１８】
以上の構成において、以下、その使用要領について説明する。
図１に示すように、口部７を開放し、遮光部材４を上方へ起こし、フレキシブルコンテナ１を吊り部材３により吊り下げて口部７をホッパーに被せる。このとき、フレキシブルコンテナ１の下蓋６が地面とほぼ同じ高さになるように設定する。この状態で内容物をホッパー、口部７を通してフレキシブルコンテナ本体２内に充填する。充填後、口部７を閉じ紐８により閉じ、吊り部材３をフォークリフトの爪に掛けて所望箇所に運搬することができる。
【００１９】
内容物充填後のフレキシブルコンテナ１を屋外で保管し、若しくは河川や海岸の護岸用として積み置きしておく場合には、前記フレキシブルコンテナ１を所定の場所に設置した後、図２に示すように、遮光部材４をスカート状に下垂させ、胴部５の上端部から底部付近に至る部分を、吊り部材３およびこの吊り部材３の胴部５に対する取り付け強度が最も要求される補助部材９を用いた縫着部と共に被覆することができる。このとき、遮光部材４は前記のように截頭円錐状に形成されているので、仮に、フレキシブルコンテナ本体２の胴部５が内容物の充填により膨らんでいても、遮光部材４を容易に下垂させて被覆することができる。
【００２０】
前記のように構成された本実施形態のフレキシブルコンテナ１によれば、フレキシブルコンテナ本体２、吊り部材３およびこの吊り部材３の胴部５に対する取り付け部を遮光部材４により遮光して直射日光から保護し、直射日光による強度劣化を低減することができ、したがって、耐久性を向上させることができる。これにより、破袋、荷崩れ、吊り下げ移動時の落下などの事故を防止して安全性を向上させることができる。また、遮光部材４は截頭円錐状に形成することにより被覆状態で裾を拡げることができて直射日光の照射に伴う内部の高温の空気を外部の空気と入れ替えることができるので、胴部５を構成する織布１０の熱劣化を低減することができる。
【００２１】
次に、本発明の第２の実施形態について説明する。図７は本発明の第２の実施形態に係るフレキシブルコンテナを示し、内容物充填前の状態の概略斜視図、図８は同フレキシブルコンテナを示し、内容物充填後の状態の概略斜視図である。
【００２２】
本実施形態においては、図７および図８に示すように、遮光部材４がフレキシブルコンテナ本体２における口部７から延長されるように形成されている。すなわち、口部７およびこの口部７に続く遮光部材４が口部７の基部から遮光部材４の裾部側の開放周縁部に至るに従い、次第に拡開する截頭円錐状に形成されている。遮光部材４は軸心方向に沿う切れ目１５により複数枚（図示例では４枚）の遮光片１６に裂かれ、隣接する遮光片１６同士が裾部において連結具１７により分離可能に連結されるようになっている。この連結具１７の一例として、一方の遮光片１６にテープ状の連結片１８の基部が縫着などの手段により取り付けられ、連結片１８の先端部と他方の遮光片１６とにマジックテープと称する面ファスナ１９、２０が取り付けられている。その他の構成については前記第１の実施形態と同様であるので、同じ部分には同じ符号を付してその説明を省略する。
【００２３】
本実施形態においては、口部７および遮光部材４が遮光性を有する基布１３により形成され、口部７がこれに取り付けられた閉じ紐８により閉じられた状態で、口部７の先方の遮光部材４が胴部５側へ下垂状態に折り返され、この状態で胴部５の上端部から底部付近に至る部分を、吊り部材３およびこの吊り部材３の胴部５に対する取り付け強度が最も要求される縫着等による取り付け部と共に被覆し得るように設定されている。
【００２４】
本実施形態における具体例について説明すると、フレキシブルコンテナ２の胴部５と下蓋６には、前記第１の実施形態における胴部５と下蓋６に用いた織布１０と同様の織布１０を用い、口部７および遮光部材４には、前記第１の実施形態における遮光部材４に用いた基布１３と同様の基布１３を用いる。
【００２５】
以上の構成において、以下、その使用要領について説明する。
図７に示すように、口部７を開放するとともに、遮光部材４を上方へ起こし、フレキシブルコンテナ１を吊り部材３により吊り下げて口部７をホッパーに被せる。このとき、フレキシブルコンテナ１の下蓋６が地面とほぼ同じ高さになるように設定する。また、遮光部材４の各遮光片１６は連結具１７により連結していても、若しくは解放していてもよい。この状態で内容物をホッパー、口部７を通してフレキシブルコンテナ本体２内に充填する。充填後、口部７を閉じ紐８により閉じ、吊り部材３をフォークリフトの爪に掛けて所望箇所に運搬することができる。
【００２６】
内容物充填後のフレキシブルコンテナ１を屋外で保管し、若しくは河川や海岸の護岸用として積み置きしておく場合には、前記フレキシブルコンテナ１を所定の場所に設置した後、図８に示すように、遮光部材４を閉じ紐８による閉じ部の上方で折り返してスカート状に下垂させ、胴部５の上端部から底部付近に至る部分を、吊り部材３およびこの吊り部材３の胴部５に対する取り付け強度が最も要求される補助部材９を用いた縫着部と共に被覆することができる。このとき、遮光部材４は連結具１７により各遮光片１６を連結したまま折り返してもよいが、連結具１７を分離して各遮光片１６を解放しておくことにより、仮に、フレキシブルコンテナ本体２の胴部５が内容物の充填により膨らんでいても、遮光部材４を容易に折り返し、下垂させて被覆することができ、被覆後、連結具１７により隣接する遮光片１６同士を連結してスカート状の遮光部材４が形成することができる。このように遮光片１６同士を連結具１７で連結することにより、裾部が風で捲れるのを防止することができる。
【００２７】
前記のように構成された本実施形態のフレキシブルコンテナ１によれば、フレキシブルコンテナ本体２、吊り部材３およびこの吊り部材３の胴部５に対する取り付け部を遮光部材４により遮光して直射日光から保護し、直射日光による強度劣化を低減することができ、したがって、耐久性を向上させることができる。これにより、破袋、荷崩れ、吊り下げ移動時の落下などの事故を防止して安全性を向上させることができる。また、遮光部材４は切れ目１５により複数枚の遮光片１６に分割しているので、直射日光の照射に伴う内部の高温の空気を裾部に加えて切れ目１５から外部の空気と入れ替えることができるので、胴部５を構成する織布１０の熱劣化を低減することができる。
【００２８】
本実施形態の変形例として、隣接する遮光片１６の切れ目１５の縁部同士で重なるようにしてもよい。また、切れ目１５を利用して吊り部材３部分の遮光片１６を吊り部材３のループ状部に潜らせて下垂させ、吊り部材３のループ状部を露出させることもできる。この場合、吊り部材３のループ状部に耐紫外線に優れた材料等を用いるのが好ましく、このような構成によれば、遮光部材４を下垂させた状態で吊り部材３を利用して運搬することができ、特に、フレキシブルコンテナ１を並列配置する場合などにおいて、作業能率を向上させることができる。
【００２９】
次に、本発明の第３の実施形態について説明する。図９は本発明の第３の実施形態に係るフレキシブルコンテナを示し、内容物充填前の状態の概略斜視図、図１０は同フレキシブルコンテナを示し、内容物充填後の状態の概略斜視図である。
【００３０】
本実施形態においては、図９および図１０に示すように、遮光部材４は遮光片２１が複数枚（図示例では４枚）、組み合わされて構成される。各遮光片２１の基部がフレキシブルコンテナ本体２における胴部５の上端周縁部と口部７との間に挟まれた状態で縫着されるなどにより一体的に備えられている。各遮光片２１は隣接する遮光片２１との軸心方向に沿う切れ目２２となる縁部において重ねられ、隣接する遮光片１６同士が裾部において連結具１７により分離可能に連結されるようになっている。この連結具１７の一例として、一方の遮光片２１にテープ状の連結片１８の基部が縫着などの手段により取り付けられ、連結片１８の先端部と他方の遮光片２１とにマジックテープと称する面ファスナ１９、２０が取り付けられている。その他の構成については前記第１の実施形態と同様であるので、同じ部分には同じ符号を付してその説明を省略する。
【００３１】
本実施形態においては、遮光部材４が遮光性を有する基布１３により形成され、好ましくは口部７も遮光性を有する基布１３により形成され、遮光部材４が上方へ起こされ、若しくは下方へ下垂されるようになっており、、下垂状態で胴部５の上端部から底部付近に至る部分を、吊り部材３およびこの吊り部材３の胴部５に対する取り付け強度が最も要求される縫着等による取り付け部と共に被覆し得るように設定されている。
【００３２】
本実施形態における具体例について説明すると、フレキシブルコンテナ本体２の胴部５と下蓋６には、前記第１の実施形態における胴部５と下蓋６に用いた織布１０と同様の織布１０を用い、口部７には、前記第１の実施形態における口部７に用いた基布１３と同様の基布１３を用い、遮光部材４には、前記第１の実施形態における遮光部材４に用いた基布１３と同様の基布１３を用いる。
【００３３】
以上の構成において、以下、その使用要領について説明する。
図９に示すように、口部７を開放し、遮光部材４を上方へ起こし、フレキシブルコンテナ１を吊り部材３により吊り下げて口部７をホッパーに被せる。このとき、フレキシブルコンテナ１の下蓋６が地面とほぼ同じ高さになるように設定する。また、遮光部材４の各遮光片２１は連結具１７により連結していても、若しくは解放していてもよい。この状態で内容物をホッパー、口部７を通してフレキシブルコンテナ本体２内に充填する。充填後、口部７を閉じ紐８により閉じ、吊り部材３をフォークリフトの爪に掛けて所望箇所に運搬することができる。
【００３４】
内容物充填後のフレキシブルコンテナ１を屋外で保管し、若しくは河川や海岸の護岸用として積み置きしておく場合には、前記フレキシブルコンテナ１を所定の場所に設置した後、図１０に示すように、遮光部材４をスカート状に下垂させ、胴部５の上端部から底部付近に至る部分を、吊り部材３およびこの吊り部材３の胴部５に対する取り付け強度が最も要求される補助部材９を用いた縫着部と共に被覆することができる。このとき、遮光部材４は連結具１７により各遮光片２１を連結したまま下垂させてもよいが、連結具１７を分離して各遮光片２１を解放しておくことにより、仮に、フレキシブルコンテナ本体２の胴部５が内容物の充填により膨らんでいても、遮光部材４を容易に下垂させて被覆することができ、被覆後、連結具１７により隣接する遮光片２１同士を連結して切れ目２２部を重ね合わせたスカート状の遮光部材４を形成することができる。このように遮光片２１同士を連結具１７で連結することにより、裾部が風で捲れるのを防止することができる。
【００３５】
前記のように構成された本実施形態のフレキシブルコンテナ１によれば、フレキシブルコンテナ本体２、吊り部材３およびこの吊り部材３の胴部５に対する取り付け部を遮光部材４により遮光して直射日光から保護し、直射日光による強度劣化を低減することができ、したがって、耐久性を向上させることができる。これにより、破袋、荷崩れ、吊り下げ移動時の落下などの事故を防止して安全性を向上させることができる。また、遮光部材４は切れ目２２により複数枚の遮光片２１に分割しているので、直射日光の照射に伴い内部の高温の空気を裾部に加えて切れ目２２から外部の空気と入れ替えることができるので、胴部５を構成する織布１０の熱劣化を低減することができる。
【００３６】
なお、前記各実施形態における遮光部材４として、基布１３に替えてフィルムを用いることもできる。また、連結具１７として隣接する遮光片１６における切れ目１５部側の縁部、隣接する遮光片２１における切れ目２２部側の縁部にアイレットを取り付け、これらアイレット間を連結紐などにより分離可能に連結するようにしてもよく、隣接する遮光片１６同士、若しくは隣接する遮光片２１同士に取り付けた連結紐同士を分離可能に連結するようにしてもよい。また、用途に応じてフレキシブルコンテナ本体２の胴部５、下蓋６についても防水性を有する基布１３により構成してもよい。また、吊り部材３はループ状部と胴部５に対する取り付け部とに分けて、互いに連結するようにしてもよい。また、吊り部材３の胴部５に対する取り付け強度を補強する補助部材９は胴部５の周囲を囲むように逢着等により取り付けてもよい。更に、フレキシブルコンテナ本体２の型式、形状も前記実施形態に限定されるものではない。このほか、本発明は、その基本的技術思想を逸脱しない範囲で種々設計変更することができる。
【００３７】
【発明の効果】
以上説明したように本発明によれば、遮光部材により少なくともフレキシブルコンテナ本体における胴部の上端部から底部付近に至る部分を少なくとも吊り部材の前記胴部に対する取り付け部と共に被覆し、直射日光から保護することができる。このように自身に遮光機能を備えることにより、直射日光の照射による強度劣化を低減することができる。したがって、耐久性を向上させることができ、また、遮光性シートを被せるなどの煩わしい作業が不要となって使用上の利便性を向上させることができる。
【００３８】
また、遮光部材が基部側から裾部側の開放周縁部に至るに従い、次第に拡開するように形成することにより、遮光部材の下垂作業を容易に行うことができ、しかも、遮光部材の内部の熱を外部に容易に逃がすことができる。
【００３９】
また、遮光部材を切れ目による複数枚の遮光片から構成することにより、遮光部材の下垂作業を一層容易に行うことができ、しかも、遮光部材の内部の熱を外部に一層容易に逃がすことができる。
【００４０】
また、複数枚の遮光片を連結具により分離可能に連結することにより、遮光片が風で捲れるのを防止することができ、内外の通気性を確保しながら確実に遮光することができる。
【図面の簡単な説明】
【図１】本発明の第１の実施形態に係るフレキシブルコンテナを示し、内容物充填前の状態の概略斜視図である。
【図２】同フレキシブルコンテナを示し、内容物充填後の状態の概略斜視図である。
【図３】同フレキシブルコンテナに用いる織布を示す一部拡大平面図である。
【図４】図３のＩＶ−ＩＶ線に沿う断面図である。
【図５】同フレキシブルコンテナに用いる基布を示す一部破断拡大平面図である。
【図６】図５のＶＩ−ＶＩ線に沿う断面図である。
【図７】本発明の第２の実施形態に係るフレキシブルコンテナを示し、内容物充填前の状態の概略斜視図である。
【図８】同フレキシブルコンテナを示し、内容物充填後の状態の概略斜視図である。
【図９】本発明の第３の実施形態に係るフレキシブルコンテナを示し、内容物充填前の状態の概略斜視図である。
【図１０】同フレキシブルコンテナを示し、内容物充填後の状態の概略斜視図である。
【符号の説明】
１  フレキシブルコンテナ
２  フレキシブルコンテナ本体
３  吊り部材
４  遮光部材
５  胴部
６  下蓋
７  口部
９  補助部材
１０  織布
１１  経糸
１２  緯糸
１３  基布
１４  ラミネートフィルム
１５  切れ目
１６  遮光片
１７  連結具
２１  遮光片
２２  切れ目
【図１】
0003613574.tif 000002
【図２】
0003613574.tif 000003
【図３】
0003613574.tif 000004
【図４】
0003613574.tif 000005
【図５】
0003613574.tif 000006
【図６】
0003613574.tif 000007
【図７】
0003613574.tif 000008
【図８】
0003613574.tif 000009
【図９】
0003613574.tif 000010
【図１０】
0003613574.tif 000011